(57)【要約】      （修正有）【課題】無線通信において、特定の端末装置のスループットを維持しつつ、他の端末装置の接続数を確保する。【解決手段】中継装置３ａは、ネットワークと通信するネットワーク通信部３１から取得する利用率情報若しくは通信品質情報、又は、端末装置と無線通信する端末装置通信部３４から取得する通信品質情報を参照して、少なくとも他の中継装置が参照する通信パラメータを決定する。【選択図】図２
2018182558.tif 000002
【特許請求の範囲】
【請求項１】
ネットワークと通信を行う中継装置が他の中継装置に送信する通信パラメータを決定する情報処理装置であって、
制御部を備え、
上記制御部は、
上記ネットワークと通信を行うネットワーク通信部から取得する利用率情報若しくは通信品質情報、又は、端末装置と無線通信を行う端末装置通信部から取得する通信品質情報の少なくとも何れかを参照して、少なくとも上記他の中継装置が参照する通信パラメータを決定する
ことを特徴とする情報処理装置。
【請求項２】
請求項１に記載の情報処理装置と、
上記ネットワーク通信部と、
上記端末装置通信部と、
上記他の中継装置と無線通信を行う中継装置通信部と、
を備えており、
上記制御部は、決定した上記通信パラメータを、上記中継装置通信部を介して上記他の中継装置に送信する
ことを特徴とする中継装置。
【請求項３】
上記制御部は、最大通信速度を規定するパラメータを、上記通信パラメータとして決定する
ことを特徴とする請求項２に記載の中継装置。
【請求項４】
他の中継装置と無線通信を行う第１の中継装置通信部と、
端末装置と無線通信を行う端末装置通信部と、
制御部と、
を備えた中継装置であって、
上記制御部は、
上記第１の中継装置通信部を介して上記他の中継装置から通信パラメータを受信し、
受信した上記通信パラメータに応じて、上記端末装置通信部を介して行う、上記端末装置との通信を制御する
ことを特徴とする中継装置。
【請求項５】
上記他の中継装置とは異なる別の他の中継装置と無線通信を行う第２の中継装置通信部をさらに備え、
上記制御部は、
受信した上記通信パラメータを、上記第２の中継装置通信部を介して、上記別の他の中継装置に送信する
ことを特徴とする請求項４に記載の中継装置。
【請求項６】
受信した上記通信パラメータは、最大通信速度を規定するパラメータであり、
上記制御部は、上記通信パラメータに応じて、上記端末装置との最大通信速度を制限する
ことを特徴とする請求項４又は５に記載の中継装置。
【請求項７】
上記制御部は、上記通信パラメータ、及び、上記端末装置の種類又は性能の少なくとも何れかに応じて、上記端末装置ごとに通信を制御する
ことを特徴とする請求項４から６の何れか１項に記載の中継装置。
【請求項８】
中継装置と、端末装置とを備えた無線通信システムであって、
上記中継装置は、
ネットワークと通信を行うネットワーク通信部と、
他の中継装置と無線通信を行う第１の中継装置通信部と、
端末装置と無線通信を行う第１の端末装置通信部と、
第１の制御部と、
を備えた第１の中継装置と、
他の中継装置と無線通信を行う第２の中継装置通信部と、
端末装置と無線通信を行う第２の端末装置通信部と、
第２の制御部と、
を備えた第２の中継装置と、
を含んでおり、
上記第１の制御部は、
上記ネットワーク通信部から取得する利用率情報若しくは通信品質情報、又は、上記端末装置通信部から取得する通信品質情報の少なくとも何れかを参照して、少なくとも上記第２の中継装置が参照する通信パラメータを決定し、
決定した上記通信パラメータを、上記第１の中継装置通信部を介して上記第２の中継装置に送信し、
上記第２の制御部は、
上記第２の中継装置通信部を介して上記第１の中継装置から通信パラメータを受信し、
受信した上記通信パラメータに応じて、上記第２の端末装置通信部を介して行う、上記端末装置との通信を制御する
ことを特徴とする無線通信システム。
【請求項９】
中継装置と、端末装置とを備えた無線通信システムによる無線通信方法であって、
上記中継装置は、
ネットワークと、他の中継装置と、端末装置と通信を行う第１の中継装置と、
他の中継装置と、端末装置と通信を行う第２の中継装置と、を含んでおり、
上記第１の中継装置が、上記ネットワークとの通信の利用率情報若しくは通信品質情報、又は、上記端末装置との通信品質情報を参照して、少なくとも上記第２の中継装置が参照する通信パラメータを決定するパラメータ決定ステップと、
上記第１の中継装置が、上記パラメータ決定ステップにおいて決定された通信パラメータを上記第２の中継装置に送信する送信ステップと、
上記第２の中継装置が、上記第１の中継装置から通信パラメータを受信するパラメータ受信ステップと、
上記第２の中継装置が、上記パラメータ受信ステップにおいて受信された通信パラメータに応じて、上記端末装置との通信を制御する通信制御ステップと、
を含んでいることを特徴とする無線通信方法。
【請求項１０】
請求項２に記載の中継装置としてコンピュータを機能させるための中継装置プログラムであって、上記制御部としてコンピュータを機能させるための中継装置プログラム。
【請求項１１】
請求項４に記載の中継装置としてコンピュータを機能させるための中継装置プログラムであって、上記制御部としてコンピュータを機能させるための中継装置プログラム。
【発明の詳細な説明】
【技術分野】
【０００１】
本発明は、情報処理装置、中継装置、無線通信システム、無線通信方法、及び、中継装置プログラムに関する。
【背景技術】
【０００２】
特許文献１には、無線ＬＡＮの通信品質が常時安定的であって、バックホール側無線ネットワークの品質が不安定になっても、十分なスループットを得る技術が開示されている。詳細には、ネットワーク側の通信品質に応じて、中継装置に対する端末装置の接続上限数を更新し、接続上限数に対する実際の端末装置の接続数に応じて、端末装置に対する接続不許可又は切断を制御する。
【先行技術文献】
【特許文献】
【０００３】
【特許文献１】特開２０１５−１２５４９号公報（２０１５年０１月１９日公開）
【発明の概要】
【発明が解決しようとする課題】
【０００４】
上述のような従来技術では、特定の端末装置のスループットを維持するために、他の端末装置の接続数が制限されてしまうという問題がある。
【０００５】
本発明の一態様は、無線通信において、特定の端末装置のスループットを維持しつつ、他の端末装置の接続数を確保することを目的とする。
【課題を解決するための手段】
【０００６】
上記の課題を解決するために、本発明の一態様に係る情報処理装置は、ネットワークと通信を行う中継装置が他の中継装置に送信する通信パラメータを決定する情報処理装置であって、制御部を備え、上記制御部は、上記ネットワークと通信を行うネットワーク通信部から取得する利用率情報若しくは通信品質情報、又は、端末装置と無線通信を行う端末装置通信部から取得する通信品質情報の少なくとも何れかを参照して、少なくとも上記他の中継装置が参照する通信パラメータを決定する。
【０００７】
また、上記の課題を解決するために、本発明の一態様に係る中継装置は、他の中継装置と無線通信を行う第１の中継装置通信部と、端末装置と無線通信を行う端末装置通信部と、制御部と、を備えた中継装置であって、上記制御部が、上記第１の中継装置通信部を介して上記他の中継装置から通信パラメータを受信し、受信した上記通信パラメータに応じて、上記端末装置通信部を介して行う、上記端末装置との通信を制御する。
【０００８】
また、上記の課題を解決するために、本発明の一態様に係る無線通信システムは、中継装置と、端末装置とを備えた無線通信システムであって、上記中継装置が、ネットワークと通信を行うネットワーク通信部と、他の中継装置と無線通信を行う第１の中継装置通信部と、端末装置と無線通信を行う第１の端末装置通信部と、第１の制御部と、を備えた第１の中継装置と、他の中継装置と無線通信を行う第２の中継装置通信部と、端末装置と無線通信を行う第２の端末装置通信部と、第２の制御部と、を備えた第２の中継装置と、を含んでおり、上記第１の制御部が、上記ネットワーク通信部から取得する利用率情報若しくは通信品質情報、又は、上記端末装置通信部から取得する通信品質情報の少なくとも何れかを参照して、少なくとも上記第２の中継装置が参照する通信パラメータを決定し、決定した上記通信パラメータを、上記第１の中継装置通信部を介して上記第２の中継装置に送信し、上記第２の制御部が、上記第２の中継装置通信部を介して上記第１の中継装置から通信パラメータを受信し、受信した上記通信パラメータに応じて、上記第２の端末装置通信部を介して行う、上記端末装置との通信を制御する。
【０００９】
また、上記の課題を解決するために、本発明の一態様に係る無線通信方法は、中継装置と、端末装置とを備えた無線通信システムによる無線通信方法であって、上記中継装置が、ネットワークと、他の中継装置と、端末装置と通信を行う第１の中継装置と、他の中継装置と、端末装置と通信を行う第２の中継装置と、を含んでおり、上記第１の中継装置が、上記ネットワークとの通信の利用率情報若しくは通信品質情報、又は、上記端末装置との通信品質情報を参照して、少なくとも上記第２の中継装置が参照する通信パラメータを決定するパラメータ決定ステップと、上記第１の中継装置が、上記パラメータ決定ステップにおいて決定された通信パラメータを上記第２の中継装置に送信する送信ステップと、上記第２の中継装置が、上記第１の中継装置から通信パラメータを受信するパラメータ受信ステップと、上記第２の中継装置が、上記パラメータ受信ステップにおいて受信された通信パラメータに応じて、上記端末装置との通信を制御する通信制御ステップと、を含んでいる。
【発明の効果】
【００１０】
本発明の一態様によれば、無線通信において、特定の端末装置のスループットを維持しつつ、他の端末装置の接続数を確保することができるという効果を奏する。
【図面の簡単な説明】
【００１１】
【図１】本発明の実施形態１に係る無線通信システムの構成を示す図である。
【図２】本発明の実施形態１に係る送信側の中継装置の構成を示す図である。
【図３】本発明の実施形態１に係る受信側の中継装置の構成を示す図である。
【図４】本発明の実施形態１に係るレートテーブルの構成例を示す図である。
【図５】本発明の実施形態２に係る中継装置の処理を説明するための図である。
【図６】本発明の実施形態３に係る中継装置の処理を説明するための図である。
【図７】本発明の実施形態４に係る無線通信システムの構成を示す図である。
【図８】本発明の実施形態４に係るサブレートテーブルの構成例を示す図である。
【図９】本発明の実施形態５に係るレートテーブルの構成例を示す図である。
【図１０】本発明の実施形態５に係るレートテーブルの構成例を示す図である。
【発明を実施するための形態】
【００１２】
〔実施形態１〕
以下、本発明の実施形態１について、詳細に説明する。ただし、この実施形態に記載されている構成は、特に特定的な記載がない限り、この発明の範囲をそれのみに限定する趣旨ではなく、単なる説明例に過ぎない。
【００１３】
〈無線通信システムの構成〉
まず、本発明の実施形態１に係る無線通信システム１の構成について、図１を参照して説明する。図１は、本実施形態に係る無線通信システム１の構成を示す図である。図１に示すように、無線通信システム１は、ネットワーク２、複数の中継装置３、及び、複数の端末装置４を備えている。
【００１４】
ネットワーク２は、少なくとも１つの中継装置３に有線又は無線により通信可能に接続される。中継装置３は、アクセスポイント（ＡＰ）と呼ばれるものであり、ネットワーク２と、端末装置４との間に介在し、それらの間の通信を中継する。中継装置３同士は、バックホール（第１無線リンク）で接続され、中継装置３の何れかは、ネットワーク２と接続される。
【００１５】
なお、中継装置（第１の中継装置）３ａから中継装置（第２の中継装置）３ｂへのデータ送信、及び、中継装置３ｂから中継装置（第２の中継装置）３ｃへのデータ送信をＤＬ（Down Link）という。また、中継装置３ｃから中継装置３ｂへのデータ送信、及び、中継装置３ｂから中継装置３ａへのデータ送信をＵＬ（Up Link）という。
【００１６】
中継装置３には、通信パラメータを送信する中継装置（以下、「送信側の中継装置」ともいう）３と、通信パラメータを受信する中継装置（以下、「受信側の中継装置」ともいう）３とがある。通信パラメータを送信する中継装置３は、ネットワーク２と、１又は複数の他の中継装置３と、１又は複数の端末装置４と通信を行う。図１に示すように、通信パラメータを送信する中継装置３として、中継装置３ａは、ネットワーク２と、中継装置３ｂと、端末装置４ａと通信を行う。なお、通信パラメータを送信する中継装置３が端末装置４と通信を行わない構成であってもよい。
【００１７】
通信パラメータを受信する中継装置３は、１又は複数の他の中継装置３と、１又は複数の端末装置４と通信を行う。図１に示すように、通信パラメータを受信する中継装置３として、中継装置３ｂは、中継装置３ａ、３ｃと、端末装置４ｂと通信を行う。また、通信パラメータを受信する中継装置３として、中継装置３ｃは、中継装置３ｂと、端末装置４ｃと通信を行う。なお、通信パラメータを受信する中継装置３が端末装置４と通信を行わない構成であってもよい。
【００１８】
端末装置４は、１の中継装置３と通信を行うことにより、当該中継装置３及び共通のバックホールを介して、ネットワーク２との間で通信を行う。端末装置４と、中継装置３との間の通信接続を、第２無線リンクという。
【００１９】
本実施形態における他の例として、以下に示す構成であってもよい。例えば、中継装置３及び端末装置４の台数は３台よりも多くあってもよい。図１では、中継装置３ａ及び端末装置４ａ、中継装置３ｂ及び端末装置４ｂ、中継装置３ｃ及び端末装置４ｃがそれぞれ接続されているが、１の中継装置３に対して必ずしも１の端末装置４が接続されているとは限らず、１の中継装置３に対して複数の端末装置４が接続されていてもよいし、中継装置３に端末装置４が接続されていなくてもよい。
【００２０】
〈送信側の中継装置の構成〉
図２は、本実施形態に係る送信側の中継装置３ａの構成を示す図である。図２に示すように、中継装置３ａは、ネットワーク通信部３１、上流側通信部（中継装置通信部）３２、下流側通信部（中継装置通信部）３３、端末装置通信部３４、及び、情報処理装置３５を備えている。中継装置３ａは、上流側においてネットワーク２と通信するか、中継装置３と通信するかに応じて、ネットワーク通信部３１、又は、上流側通信部３２の何れか一方を備える。
【００２１】
ネットワーク通信部３１は、ネットワーク２と通信を行う。上流側通信部３２は、上流側の中継装置３と無線通信を行う。下流側通信部３３は、下流側の中継装置３ｂと無線通信を行う。端末装置通信部３４は、端末装置４ａと無線通信を行う。
【００２２】
情報処理装置３５は、ネットワーク２と通信を行う中継装置３ａが他の中継装置３ｂに送信する通信パラメータを決定する。情報処理装置３５は、制御部３６ａ、及び、記憶部３７を備えている。なお、情報処理装置３５は、必ずしも単体の装置である必要はなく、送信側中継装置３ａを構成する要素の一部であってもよい。
【００２３】
制御部３６ａは、中継装置３ａ全体を制御する。制御部３６ａは、機能ブロックとして、監視部３６０、パラメータ決定部３６１、送信部３６２、及び、通信制御部３６３を備えている。
【００２４】
監視部３６０は、各通信部３１〜３４が測定した、第１無線リンク、及び、第２無線リンクの通信状態の測定値を監視する。通信状態には、特定の端末装置４のＢＥＲ（Bit Error Rate、誤り率）、バックホールの最大通信量、実通信量等がある。
【００２５】
パラメータ決定部３６１は、ネットワーク通信部３１から取得する、ネットワーク２との通信の利用率情報若しくは通信品質情報、又は、端末装置通信部３４から取得する、端末装置４ａとの通信の通信品質情報の少なくとも何れかを参照して、少なくとも中継装置３ｂ、３ｃが参照する通信パラメータを決定する。送信部３６２は、パラメータ決定部３６１が決定した通信パラメータを、下流側通信部３３を介して中継装置３ｂに送信する。通信制御部３６３は、パラメータ決定部３６１が決定した通信パラメータに応じて、端末装置４ａとの通信を制御する。
【００２６】
記憶部３７は、レートテーブル等を記憶する。
【００２７】
〈受信側の中継装置の構成〉
図３は、本実施形態に係る受信側の中継装置３ｂの構成を示す図である。図３に示すように、中継装置３ｂは、上流側通信部（第１の中継装置通信部）３２、下流側通信部（第２の中継装置通信部）３３、端末装置通信部３４、制御部３６ｂ、及び、記憶部３７を備えている。
【００２８】
上流側通信部３２は、上流側の中継装置３ａと無線通信を行う。下流側通信部３３は、下流側の中継装置３ｃと無線通信を行う。端末装置通信部３４は、端末装置４と無線通信を行う。
【００２９】
制御部３６ｂは、中継装置３ｂ全体を制御する。制御部３６ｂは、機能ブロックとして、パラメータ受信部３６４、通信制御部３６５、及び、パラメータ送信部３６６を備えている。パラメータ受信部３６４は、上流側通信部３２を介して、中継装置３ａから通信パラメータを受信する。通信制御部３６５は、パラメータ受信部３６４が受信した通信パラメータに応じて、端末装置通信部３４を介して行う、端末装置４ｂとの通信を制御する。パラメータ送信部３６６は、パラメータ受信部３６４が受信した通信パラメータを、下流側通信部３３を介して、他の中継装置３ｃに送信する。
【００３０】
記憶部３７は、レートテーブル等を記憶する。
【００３１】
図４は、本実施形態に係るレートテーブルの構成例を示す図である。図４に示すように、レートテーブルは、中継装置３ａ、３ｂ、及び、３ｃが記憶部３７に記憶しているテーブルであり、通信品質レベル１から４ごとに、中継装置３ａ、３ｂ、及び、３ｃが通信制御に用いるＭａｘＭＣＳ（Maximum Modulation and Coding Scheme）が設定される。
【００３２】
通信品質レベルは、中継装置３が参照する通信パラメータの一例であり、パラメータ決定部３６１が、ネットワーク２との通信の利用率情報若しくは通信品質情報、又は、端末装置４との通信の通信品質情報を参照して、決定する。ＭａｘＭＣＳは、中継装置３が参照する通信パラメータの一例であり、最大レベルの通信方式を規定するインデックス番号であり、最大通信速度を規定するパラメータである。
【００３３】
ここで、中継装置３ｂの重要度が高い場合に、中継装置３ｂに接続される端末装置４ｂのスループットの低下を抑えるために、図４に示すように、レートテーブルにおいて、中継装置３ｂにおけるＭａｘＭＣＳが大きく設定され、中継装置３ａ、３ｃにおけるＭａｘＭＣＳが中継装置３ｂにおけるＭａｘＭＣＳと同じか、又は、より小さく設定される。
【００３４】
そして、各中継装置３ａ、３ｂ、３ｃは、中継装置３ａが決定した通信品質レベルを参照して、記憶部３７のレートテーブルにおいて、通信品質レベル及び中継装置の番号によって特定されるＭａｘＭＣＳを用いて、端末装置４との通信制御を行う。なお、各中継装置３ａ、３ｂ、３ｃは、必ずしも、ＭａｘＭＣＳではなく、スループット等の他の通信パラメータを用いて、端末装置４との通信制御を行ってもよい。
【００３５】
なお、上記では、中継装置３ａのパラメータ決定部３６１は、通信品質レベルを通信パラメータとして決定するように説明したが、ＭａｘＭＣＳを通信パラメータとして決定するようにしてもよい。その場合、中継装置３ｂにおいて、パラメータ受信部３６４が受信した通信パラメータは、ＭａｘＭＣＳであり、通信制御部３６５は、ＭａｘＭＣＳに応じて、端末装置４ｂとの最大通信速度を制限する。
【００３６】
〈実施形態１の効果〉
一般に、第２無線リンクの通信量の総和が第１無線リンクの最大通信量を上回った場合には、パケットの送信元や送信先に関係なくランダムにパケットの廃棄が発生し、中継装置３の重要度に関係なくランダムに、中継装置３に接続する端末装置４のスループットの劣化が発生する。
【００３７】
本実施形態に係る構成によれば、上記のような状況に対応するために、重要度の高い中継装置３に接続される端末装置４についてのみ高いＭａｘＭＣＳをサポートすることにより、端末装置４の接続数を制限することなく、当該中継装置３に接続される端末装置４のスループットを維持することができる。
【００３８】
従って、特定の端末装置４のスループットを維持しつつ、他の端末装置４の接続数を確保することができる。
【００３９】
〔実施形態２〕
本発明の実施形態２について、図５に基づいて説明すれば、以下のとおりである。なお、説明の便宜上、前記実施形態にて説明した部材と同じ機能を有する部材については、同じ符号を付記し、その説明を省略する。
【００４０】
本実施形態において、中継装置３ａは、端末装置４ａから受信する信号のＢＥＲが劣化したと判断した場合に、各中継装置３が所有する第２無線リンクに対する共通のレートテーブルを管理する信号（テーブル管理信号）を各中継装置３に送信し、各中継装置３は第２無線リンクの通信量を制御する。テーブル管理信号によって、通信品質レベルが通知される。
【００４１】
本実施形態における他の例として、以下に示す構成であってもよい。例えば、劣化判断する基になるＢＥＲは、中継装置３が複数の端末装置４から受信した信号を用いて計算したＢＥＲであってもよい。また、中継装置３ａが送信した信号に関して端末装置４ａが検出したＢＥＲを、端末装置４ａから中継装置３ａに定期的に報告させて、当該ＢＥＲを中継装置３ａが劣化判断に用いるようにしてもよい。
【００４２】
さらに、中継装置３及び端末装置４の台数は３台よりも多くあってもよい。図１では、中継装置３ａ及び端末装置４ａ、中継装置３ｂ及び端末装置４ｂ、中継装置３ｃ及び端末装置４ｃがそれぞれ接続されているが、各中継装置３と接続する端末装置４の台数は複数でもよい。また、中継装置３ａがレートテーブルを制御する例を記載しているが、他の中継装置３が制御してもよく、また、中継装置３とは別の制御装置が制御してもよい。上記では、端末装置４を端末装置４ａとした例を記載したが、他の端末装置４でもよい。中継装置３ａが他の第２無線リンクの通信品質を知る手段として、他中継装置３と接続する端末装置４との通信品質の情報を当該中継装置３から取得してもよい。
【００４３】
図５は、本実施形態に係る中継装置３の処理を説明するための図である。図５（ａ）は、中継装置３の処理を示すフローチャートである。図５（ｂ）は、ＢＥＲの範囲と、通信品質レベルとの対応関係の一例を示すテーブルである。
【００４４】
（ステップＳ５０１）
中継装置３ａにおいて、監視部３６０は、端末装置通信部３４を介して、特定の第２無線リンク（中継装置３・端末装置４間）のＢＥＲ（端末装置４との通信の通信品質）を監視する。なお、監視部３６０は、第２無線リンクにおけるＢＥＲの監視を、一定時間ごとに行ってもよいし、ＢＥＲが所定値を超える等、特定のタイミングで行ってもよい。
【００４５】
（ステップＳ５０２）
中継装置３ａにおいて、パラメータ決定部３６１は、図５（ｂ）に示すテーブルを参照して、監視部３６０が端末装置通信部３４を介して監視している第２無線リンクのＢＥＲに応じて、通信品質レベルを決定する。図５（ｂ）に示すように、一例として、ＢＥＲが２％未満であれば通信品質レベルは１になり、ＢＥＲが２％以上、１０％未満であれば通信品質レベルは２になり、ＢＥＲが１０％以上、２０％未満であれば通信品質レベルは３になり、ＢＥＲが２０％以上であれば通信品質レベルは４になる。
【００４６】
（ステップＳ５０３）
中継装置３ａにおいて、送信部３６２は、第１無線リンクにより接続されている中継装置３ｂに対して、テーブル管理信号（通信品質レベルを通知する信号）を送信する。中継装置３ｂにおいて、パラメータ受信部３６４は、中継装置３ａからテーブル管理信号を受信し、パラメータ送信部３６６は、中継装置３ｃにテーブル管理信号を送信する。
【００４７】
（ステップＳ５０４）
各中継装置３において、通信制御部３６３、３６５は、テーブル管理信号により通知される通信品質レベルに応じて、レートテーブルによりＭａｘＭＣＳを決定し、当該ＭａｘＭＣＳを用いて、接続している端末装置４の通信制御を行う。
【００４８】
第１無線リンクの品質測定が難しいので、中継装置３は、特定の中継装置３と端末装置４との間の第２無線リンクの品質を測定することにより、当該第２無線リンクと同じ周波数帯を使って通信を行う第１無線リンクの品質を推定する。
【００４９】
そして、特定の第２無線リンクの品質劣化が検出された場合、第１無線リンクの実最大通信量の低下が推定される。そのままの状態にしておくと、端末装置４のスループット低下がランダムに発生することが予想される。そこで、重要度の高い特定の端末装置４のスループットを維持するために、中継装置３は、一斉にＭａｘＭＣＳを変更する。
【００５０】
〈実施形態２の効果〉
上記の構成によれば、重要度の高い中継装置３ｂに接続される端末装置４ｂには高いＭａｘＭＣＳをサポートし、他の中継装置３ａ、３ｃに接続する端末装置４ａ、４ｃに対するＭａｘＭＣＳを下げることで、特定の第２無線リンク（中継装置３ｂ・端末装置４ｂ間等）のスループットの劣化を抑えることができる。
【００５１】
従って、特定の端末装置４ａのＢＥＲに基づいて各中継装置３が所有する第２無線リンクのレートテーブルを管理、制御することにより、バックホール（第１無線リンク）や他の第２無線リンクの通信品質を監視する必要がなくなるので、無線通信システム１の構成を容易にすることができる。
【００５２】
〔実施形態３〕
本発明の実施形態３について、図６に基づいて説明すれば、以下のとおりである。なお、説明の便宜上、前記実施形態にて説明した部材と同じ機能を有する部材については、同じ符号を付記し、その説明を省略する。
【００５３】
本実施形態において、中継装置３ａは、第１無線リンクにおける最大通信量に対する実通信量の割合に応じて、各中継装置３が所有する第２無線リンクに対する共通のレートテーブルを管理する信号（テーブル管理信号）を各中継装置３に送信し、各中継装置３は第２無線リンクの通信量を制御する。
【００５４】
本実施形態における他の例として、以下に示す構成であってもよい。例えば、中継装置３及び端末装置４の台数は３台よりも多くあってもよい。図１では、中継装置３ａ及び端末装置４ａ、中継装置３ｂ及び端末装置４ｂ、中継装置３ｃ及び端末装置４ｃがそれぞれ接続されているが、各中継装置３と接続する端末装置４の台数は複数でもよい。また、中継装置３ａがレートテーブルを制御する例を記載しているが、他の中継装置３が制御してもよく、また、中継装置３とは別の制御装置が制御してもよい。中継装置３ａが他の第２無線リンクの通信品質を知る手段として、他の中継装置３から当該中継装置３と接続する端末装置４との通信品質の情報を取得してもよい。
【００５５】
ネットワーク２・中継装置３ａ間は、有線及び無線のどちらでもよいが、第１無線リンクの最大通信量は、ネットワーク２・中継装置３ａ間の通信量となるため、安定した通信品質を確保するためには有線が好ましい。第１無線リンクの実通信量は、特定の中継装置３間のものでもよいし、バックホール内の最悪又は最良の中継装置３間でもよいし、全中継装置３間の平均でもよいし、上記以外でもよい。
【００５６】
図６は、本実施形態に係る中継装置３の処理を説明するための図である。図６（ａ）は、中継装置３の処理を示すフローチャートである。図６（ｂ）は、実通信量／最大通信量と、通信品質レベルとの対応関係の一例を示すテーブルである。
【００５７】
（ステップＳ６０１）
中継装置３ａにおいて、監視部３６０は、下流側通信部３３を介して、特定の第１無線リンク（中継装置３ａ・３ｂ間等）の最大通信量及び実通信量を監視する。なお、監視部３６０は、第１無線リンクにおける最大通信量及び実通信量の監視を、一定時間ごとに行ってもよいし、実通信量が所定値を超える等、特定のタイミングで行ってもよい。
【００５８】
（ステップＳ６０２）
中継装置３ａにおいて、パラメータ決定部３６１は、図６（ｂ）に示すテーブルを参照して、監視部３６０が下流側通信部３３を介して監視している、第１無線リンク（中継装置３ａ・３ｂ間等）における最大通信量に対する実通信量の割合（ネットワークとの通信の利用率）に応じて、通信品質レベルを決定する。図６（ｂ）に示すように、一例として、上記割合が０．１未満であれば通信品質レベルは１になり、上記割合が０．１以上、０．４未満であれば通信品質レベルは２になり、上記割合が０．４以上、０．７未満であれば通信品質レベルは３になり、上記割合が０．７以上であれば通信品質レベルは４になる。
【００５９】
（ステップＳ６０３）
中継装置３ａにおいて、送信部３６２は、第１無線リンクにより接続されている中継装置３ｂに対して、テーブル管理信号（通信品質レベルを通知する信号）を送信する。中継装置３ｂにおいて、パラメータ受信部３６４は、中継装置３ａからテーブル管理信号を受信し、パラメータ送信部３６６は、中継装置３ｃにテーブル管理信号を送信する。
【００６０】
（ステップＳ６０４）
各中継装置３において、通信制御部３６３、３６５は、テーブル管理信号により通知される通信品質レベルに応じて、レートテーブルによりＭａｘＭＣＳを決定し、当該ＭａｘＭＣＳを用いて、接続している端末装置４の通信制御を行う。
【００６１】
中継装置３ｂの重要度が高い場合に、中継装置３ｂに接続される端末装置４ｂのスループットの低下を抑えるために、例えば、各中継装置３・端末装置４間においてレートテーブルの通信品質レベル１で通信しているときに、第１無線リンク（中継装置３ａ・３ｂ間等）における最大通信量に対する実通信量の割合が０．５（５０％）になると、中継装置３ａは、上記割合に応じたテーブル管理信号（例えば、通信品質レベルを３にする信号等）を各中継装置３に送信する。
【００６２】
〈実施形態３の効果〉
上記の構成によれば、重要度の高い中継装置３ｂに接続される端末装置４ｂには高いＭａｘＭＣＳをサポートし、他の中継装置３ａ、３ｃに接続する端末装置４ａ、４ｃに対するＭａｘＭＣＳを下げることにより、特定の第２無線リンク（中継装置３ｂ・端末装置４ｂ間等）のスループットの劣化を抑えることができる。
【００６３】
従って、第１無線リンクにおける最大通信量に対する実通信量の割合に応じて、各中継装置３が所有する第２無線リンクのレートテーブルを管理、制御することにより、第２無線リンクの通信量を制御することができ、特定の端末装置４のスループットを維持しつつ、他の端末装置４の接続数は確保することができる。
【００６４】
本発明の実施形態２では、第２無線リンクでＢＥＲ劣化が発生していたとしても、バックホール（第１無線リンク）のＢＥＲ劣化が発生しているとは限らないので、不必要に他の端末装置４のスループットを下げてしまう可能性があるが、本発明の実施形態３の構成により、それを最適化することができる。
【００６５】
〔実施形態４〕
本発明の実施形態４について、図７、図８に基づいて説明すれば、以下のとおりである。なお、説明の便宜上、前記実施形態にて説明した部材と同じ機能を有する部材については、同じ符号を付記し、その説明を省略する。
【００６６】
本実施形態において、無線通信システム１ａは、１つの中継装置３に複数の端末装置４が接続される構成を備えている。図７は、本実施形態に係る無線通信システム１ａの構成を示す図である。図７に示すように、中継装置３ｂは、端末装置４ａ、４ｂ、及び、４ｃと通信を行う。この場合、中継装置３ｂは、端末装置４ごとに異なるＭａｘＭＣＳを用いて、端末装置４の通信制御を行う。中継装置３ｂの通信制御部３６５は、通信品質レベル（通信パラメータ）、及び、端末装置４の種類（スマートフォン、ノートＰＣ、ＩｏＴ端末等）又は端末装置４の性能（スマートフォンにおけるHigh-end、Low-end等）の少なくとも何れかに応じて、端末装置４ごとにＭａｘＭＣＳ（通信パラメータ）を決定して、端末装置４ごとに通信を制御する。各中継装置３は、第２無線リンクに対する共通のレートテーブル（図４参照）とは別に、中継装置３ごとに異なるサブレートテーブルを有しており、端末装置４の種類又は性能に応じて第２無線リンクの通信量を制御する。
【００６７】
なお、端末装置４の性能を判別するために、中継装置３は、例えば、端末装置４のＭＡＣ（Media Access Control）アドレスを参照することにより、スマートフォンにおけるHigh-end、Low-end等を判別する。端末装置４のＭＡＣアドレスを中継装置３に登録することにより、登録されたＭＡＣアドレスに対して、通信品質レベルの優先度を上げるようにしてもよい。
【００６８】
また、中継装置３が端末装置４の通信品質レベルを決定しているが、端末装置４から通信品質レベルを決定するようにしてもよい。例えば、Low-endの端末装置４が中継装置３に要請して、High-endと同じテーブルに従うようにしてもよい。
【００６９】
図８は、本実施形態に係るサブレートテーブルの構成例を示す図である。一例として、スマートフォンにおけるHigh-end端末、Low-end端末の場合について記述する。サブレートテーブルは、中継装置３ごとに異なっており、通信品質レベルに応じて、High-endの端末装置４のＭａｘＭＣＳ、及び、Low-endの端末装置４のＭａｘＭＣＳの値が設定される。
【００７０】
例えば、中継装置３ｂに３台の端末装置４が接続されており、１台の端末装置４がHigh-endであり、２台の端末装置４がLow-endであるとする。レートテーブルの通信品質レベルが１の場合に、中継装置３ｂのサブレートテーブルに従って、High-endの端末装置４、Low-endの端末装置４ともに、ＭａｘＭＣＳとして７が用いられる。
【００７１】
次に、第１無線リンク又は第２無線リンクの通信状況に応じて、レートテーブルの通信品質レベルが３になったら、中継装置３ｂのサブレートテーブルに従って、High-endの端末装置４にはＭａｘＭＣＳとして７が用いられ、Low-endの端末装置４にはＭａｘＭＣＳとして５が用いられる。
【００７２】
<実施形態４の効果>
上記の構成によれば、各中継装置３が所有する第２無線リンクのレートテーブルの他に、中継装置３ごとに異なるサブレートテーブルを管理、制御することにより、端末装置４ごとに通信品質レベルの優先度を付けることができ、重要な端末装置４に対して、高いＭａｘＭＣＳを用いて通信制御することができる。
【００７３】
〔実施形態５〕
本発明の実施形態５について、図９、図１０に基づいて説明すれば、以下のとおりである。なお、説明の便宜上、前記実施形態にて説明した部材と同じ機能を有する部材については、同じ符号を付記し、その説明を省略する。
【００７４】
本実施形態において、各中継装置３が所有するレートテーブルのＭａｘＭＣＳを、中継装置３ごとに固定でなく、中継装置３、及び、端末装置４の状況に応じて変更する。例えば、中継装置３に接続される端末装置４の台数ごとに変更してもよいし、中継装置３の場所に応じて変更してもよい。それらに加えて、実施形態４の構成（端末装置４ごとに通信品質レベルの優先度を付加する構成）を複合させてもよい。また、他の方法でレートテーブルのＭａｘＭＣＳを変更してもよい。
【００７５】
なお、本実施形態では、各中継装置３が所有するレートテーブルのＭａｘＭＣＳは、端末装置４の台数等の状況に応じて動的に変更するが、実施形態１〜４に示すように、管理者の決定により、静的に変更してもよい。
【００７６】
図９は、本実施形態に係るレートテーブルの構成例を示す図である。図９に示すように、通信品質レベルに応じて、１つの中継装置３に接続される端末装置４の台数の範囲に応じた、端末装置４のＭａｘＭＣＳの値が設定される。
【００７７】
例えば、中継装置３ａに１０台の端末装置４が接続されており、中継装置３ｂに３台の端末装置４が接続されており、中継装置３ｃに１２台の端末装置４が接続されているとする。
【００７８】
実施形態１から３においては、レートテーブルの通信品質レベルが３の場合、中継装置３に接続される端末装置４の台数に関係なく、中継装置３ごとに予め決められたＭａｘＭＣＳで通信制御をしていた。本実施形態において、第１無線リンク又は第２無線リンクの通信状況に応じて、レートテーブルの通信品質レベルが３になった場合、中継装置３は、当該中継装置３に接続される端末装置４の台数に応じて、各端末装置４に対する通信制御に用いられるＭａｘＭＣＳを変更する。
【００７９】
例えば、中継装置３ｂには３台の端末装置４が接続されているので、中継装置３ｂは、接続されている端末装置４に対して、ＭａｘＭＣＳ７を用いて通信制御を行う。また、中継装置３ｃには１２台の端末装置４が接続されているので、中継装置３ｃは、接続されている端末装置４に対して、ＭａｘＭＣＳ３を用いて通信制御を行う。
【００８０】
なお、中継装置３は、上記とは逆に、接続されている端末装置４が多い場合に、高いＭａｘＭＣＳを用いて通信制御を行ってもよい。
【００８１】
図１０は、本実施形態に係るレートテーブルの構成例を示す図である。図１０に示すように、通信品質レベルに応じて、中継装置３の設置場所に応じた、端末装置４のＭａｘＭＣＳの値が設定される。重要度の高い場所（ビジネス街等）、重要度の低い場所（住宅街等）に応じて、端末装置４のＭａｘＭＣＳの値が変更される。
【００８２】
例えば、中継装置３ａは重要度の高い場所に設置されており、中継装置３ｂ及び３ｃは重要度の低い場所に設置されているとする。実施形態１から３においては、中継装置３は、レートテーブルの通信品質レベルが３の場合、中継装置３の設置場所に関係なく、中継装置３ごとに予め決められたＭａｘＭＣＳで通信制御をしていた。
【００８３】
本実施形態において、第１無線リンク又は第２無線リンクの通信状態に応じて、レートテーブルの通信品質レベルが３になった場合、中継装置３が設置された場所の重要度に応じて、重要度の高い場所に設置されている中継装置３ａは、接続されている端末装置４に対して、ＭａｘＭＣＳ７を用いて通信制御を行う。重要度の低い場所に設置されている中継装置３ｂ、３ｃは、接続されている端末装置４に対して、ＭａｘＭＣＳ５を用いて通信制御を行う。
【００８４】
<実施形態５の効果>
上記の構成によれば、レートテーブルのＭａｘＭＣＳを、状況に応じて変更することにより、ＭａｘＭＣＳの割当てがより最適化される。
【００８５】
〔ソフトウェアによる実現例〕
中継装置３の制御ブロック（特に、監視部３６０、パラメータ決定部３６１、送信部３６２、通信制御部３６３、パラメータ受信部３６４、通信制御部３６５、パラメータ送信部３６６）は、集積回路（ＩＣチップ）等に形成された論理回路（ハードウェア）によって実現してもよいし、ＣＰＵ（Central Processing Unit）を用いてソフトウェアによって実現してもよい。
【００８６】
後者の場合、中継装置３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８７】
〔まとめ〕
本発明の態様１に係る情報処理装置（３５）は、ネットワークと通信を行う中継装置が他の中継装置に送信する通信パラメータを決定する情報処理装置であって、制御部（３６ａ）を備え、上記制御部が、上記ネットワークと通信を行うネットワーク通信部（３１）から取得する利用率情報若しくは通信品質情報、又は、端末装置と無線通信を行う端末装置通信部（３４）から取得する通信品質情報の少なくとも何れかを参照して、少なくとも上記他の中継装置が参照する通信パラメータを決定する。
【００８８】
上記の構成によれば、無線通信において、他の中継装置が、特定の端末装置のスループットを維持しつつ、他の端末装置の接続数を確保することができる。
【００８９】
本発明の態様２に係る中継装置（３ａ）は、態様１における情報処理装置と、上記ネットワーク通信部と、上記端末装置通信部と、上記他の中継装置と無線通信を行う中継装置通信部と、を備えており、上記制御部が、決定した上記通信パラメータを、上記中継装置通信部を介して上記他の中継装置に送信する。
【００９０】
上記の構成によれば、無線通信において、他の中継装置が、特定の端末装置のスループットを維持しつつ、他の端末装置の接続数を確保することができる。
【００９１】
本発明の態様３に係る中継装置は、上記態様２において、上記制御部は、最大通信速度を規定するパラメータを、上記通信パラメータとして決定することとしてもよい。
【００９２】
上記の構成によれば、通信の最大量を規定するパラメータを他の中継装置に送信するので、通信の最大量を制限することができる。
【００９３】
本発明の態様４に係る中継装置（３ｂ）は、他の中継装置（３ａ、３ｃ）と無線通信を行う第１の中継装置通信部（上流側通信部３２）と、端末装置（４ｂ）と無線通信を行う端末装置通信部（３４）と、制御部（３６ｂ）と、を備えた中継装置であって、上記制御部が、上記第１の中継装置通信部を介して上記他の中継装置から通信パラメータを受信し、受信した上記通信パラメータに応じて、上記端末装置通信部を介して行う、上記端末装置との通信を制御する。
【００９４】
上記の構成によれば、無線通信において、当該中継装置が、特定の端末装置のスループットを維持しつつ、他の端末装置の接続数を確保することができる。
【００９５】
本発明の態様５に係る中継装置は、上記態様４において、上記他の中継装置とは異なる別の他の中継装置（３ｃ）と無線通信を行う第２の中継装置通信部（下流側通信部３３）をさらに備え、上記制御部は、受信した上記通信パラメータを、上記第２の中継装置通信部を介して、上記別の他の中継装置に送信する。
【００９６】
上記の構成によれば、無線通信において、特定の端末装置のスループットを維持しつつ、他の端末装置の接続数を確保することができる。
【００９７】
本発明の態様６に係る中継装置は、上記態様４及び５において、受信した上記通信パラメータが、最大通信速度を規定するパラメータであり、上記制御部が、上記通信パラメータに応じて、上記端末装置との最大通信速度を制限することとしてもよい。
【００９８】
上記の構成によれば、通信の最大量を規定するパラメータを受信するので、通信の最大量を制限することができる。
【００９９】
本発明の態様７に係る中継装置は、上記態様４から６において、上記制御部が、上記通信パラメータ、及び、上記端末装置の種類又は性能の少なくとも何れかに応じて、上記端末装置ごとに通信を制御することとしてもよい。
【０１００】
上記の構成によれば、中継装置は、端末装置の種類又は性能に応じた通信を行うことができる。
【０１０１】
本発明の態様８に係る無線通信システム（１）は、中継装置（３）と、端末装置（４）とを備えた無線通信システムであって、上記中継装置が、ネットワークと通信を行うネットワーク通信部と、他の中継装置と無線通信を行う第１の中継装置通信部と、端末装置と無線通信を行う第１の端末装置通信部と、第１の制御部と、を備えた第１の中継装置（３ａ）と、他の中継装置と無線通信を行う第２の中継装置通信部と、端末装置と無線通信を行う第２の端末装置通信部と、第２の制御部と、を備えた第２の中継装置（３ｂ）と、を含んでおり、上記第１の制御部が、上記ネットワーク通信部から取得する利用率情報若しくは通信品質情報、又は、上記端末装置通信部から取得する通信品質情報の少なくとも何れかを参照して、少なくとも上記他の中継装置が参照する通信パラメータを決定し、決定した上記通信パラメータを、上記第１の中継装置通信部を介して上記第２の中継装置に送信し、上記第２の制御部が、上記第２の中継装置通信部を介して上記第１の中継装置から通信パラメータを受信し、受信した上記通信パラメータに応じて、上記第２の端末装置通信部を介して行う、上記端末装置との通信を制御する。
【０１０２】
本発明の態様９に係る無線通信方法は、中継装置と、端末装置とを備えた無線通信システムによる無線通信方法であって、上記中継装置が、ネットワークと、他の中継装置と、端末装置と通信を行う第１の中継装置と、他の中継装置と、端末装置と通信を行う第２の中継装置と、を含んでおり、上記第１の中継装置が、上記ネットワークとの通信の利用率情報若しくは通信品質情報、又は、上記端末装置との通信品質情報を参照して、少なくとも上記第２の中継装置が参照する通信パラメータを決定するパラメータ決定ステップと、上記第１の中継装置が、上記パラメータ決定ステップにおいて決定された通信パラメータを上記第２の中継装置に送信する送信ステップと、上記第２の中継装置が、上記第１の中継装置から通信パラメータを受信するパラメータ受信ステップと、上記第２の中継装置が、上記パラメータ受信ステップにおいて受信された通信パラメータに応じて、上記端末装置との通信を制御する通信制御ステップと、を含んでいる。
【０１０３】
本発明の各態様に係る中継装置は、コンピュータによって実現してもよく、この場合には、コンピュータを上記中継装置が備える各部（ソフトウェア要素）として動作させることにより上記中継装置をコンピュータにて実現させる中継装置プログラムも、本発明の範疇に入る。
【０１０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０５】
１  無線通信システム
２  ネットワーク
３  中継装置
３ａ  中継装置（第１の中継装置）
３ｂ、３ｃ  中継装置（第２の中継装置）
４、４ａ、４ｂ、４ｃ  端末装置
３１  ネットワーク通信部
３２  上流側通信部（中継装置通信部）
３３  下流側通信部（中継装置通信部）
３４  端末装置通信部
３５  情報処理装置
３６ａ、３６ｂ  制御部
３７  記憶部
３６０  監視部
３６１  パラメータ決定部
３６２  送信部
３６３  通信制御部
３６４  パラメータ受信部
３６５  通信制御部
３６６  パラメータ送信部
【図１】
2018182558.tif 000003
【図２】
2018182558.tif 000004
【図３】
2018182558.tif 000005
【図４】
2018182558.tif 000006
【図５】
2018182558.tif 000007
【図６】
2018182558.tif 000008
【図７】
2018182558.tif 000009
【図８】
2018182558.tif 000010
【図９】
2018182558.tif 000011
【図１０】
2018182558.tif 000012